(57)【要約】【課題】レーザ光を透過させる透光部の汚れを簡易な手段によって抑制することが可能な浮上スライダを提供する。【解決手段】光ディスクＤに隙間５０を介して対向する主面１０と、対物レンズ３１を通過したレーザ光を光ディスクＤに向けて進行させるように主面１０に設けられた透光部１１とを有しており、かつ光ディスクＤの回転時に隙間５０内にトラック方向Ｔｃの空気流ＡＣが発生するように構成されている浮上スライダ１であって、主面１０には、隙間５０内において透光部１１の上流側から下流側に流れる空気をトラッキング方向Ｔｇにも流れるように導く凹状または凸状のエアガイド手段１２が設けられている。【選択図】  図２
2004192716.tif 000002
【特許請求の範囲】
【請求項１】
光ディスクに隙間を介して対向する主面と、対物レンズを通過したレーザ光を上記光ディスクに向けて進行させるように上記主面に設けられた透光部とを有しており、かつ上記光ディスクの回転時に上記隙間内にトラック方向の空気流が発生するように構成されている、浮上スライダであって、
上記主面には、上記隙間内において上記透光部の上流側から下流側に流れる空気をトラッキング方向にも流れるように導く凹状または凸状のエアガイド手段が設けられていることを特徴とする、浮上スライダ。
【請求項２】
上記エアガイド手段は、上記トラッキング方向において上記透光部を挟むように設けられた一対の凹部である、請求項１に記載の浮上スライダ。
【請求項３】
上記各凹部は、その前端が上記透光部の前部よりも上記主面の前部寄りに位置し、かつその後端が上記透光部の後部よりも上記主面の後部寄りに位置するように、トラック方向に延びている、請求項２に記載の浮上スライダ。
【請求項４】
光ディスクに隙間を介して対向する主面と、対物レンズを通過したレーザ光を上記光ディスクに向けて進行させるように上記主面に設けられた透光部とを有しており、かつ上記光ディスクの回転時に上記隙間内にトラック方向の空気流が発生するように構成されている、浮上スライダであって、
上記主面のうち、上記空気流の方向における上記透光部の上流および下流の少なくとも一方には、凸部が設けられていることを特徴とする、浮上スライダ。
【請求項５】
請求項１ないし４のいずれかに記載の浮上スライダを備えていることを特徴とする、光情報処理装置。
【発明の詳細な説明】
【０００１】
【発明の属する技術分野】
本願発明は、光ディスクに対するデータの書き込みや読み出しを行なうための光学ヘッドとして用いられる浮上スライダ、およびこれを備えた光情報処理装置に関する。
【０００２】
本明細書において、単に「光ディスク」という場合には、データ読み出し専用のＣＤなどの狭義の光ディスクに限らず、データの読み出しまたは書き込みに際して光を利用するタイプの種々のディスクを含む。したがって、光磁気ディスクや相変化記録方式のディスクも、本明細書でいう「光ディスク」に含まれる。また、本明細書でいう「光情報処理装置」は、光ディスク装置に限らず、たとえば光磁気ディスク装置も含む。
【０００３】
【従来の技術】
光磁気ディスク装置に用いられる浮上スライダは、光磁気ディスクが回転するときに、これらの間に空気が高速で流れ込む作用により、光磁気ディスク上に微小間隔を隔てて浮上するように構成されている（たとえば、特許文献１参照）。また、浮上スライダには対物レンズが搭載されており、この対物レンズを透過して集束されたレーザ光は光磁気ディスクに向けて進行し、この光磁気ディスクの記録層上にレーザスポットが形成されるようになっている。
【０００４】
上記したような浮上スライダにおいては、たとえばハードディスク装置の浮上スライダとは異なり、ディスクに対向する面（主面）がフラットな面とされており、負圧発生用の凹部を形成するようなことはなされていない。より具体的には、ハードディスク装置の浮上スライダにおいては、磁気ディスクに対向する主面に凹部を形成する場合がある（たとえば、特許文献２参照）。このように主面に凹部を形成すれば、磁気ディスクが回転するときに上記凹部に負圧が発生するために、浮上スライダの浮上量が少なくなり、浮上スライダの磁気コイルを磁気ディスクに接近させることができる。これは、磁気記録密度を高めるのに有利となる。これに対し、光磁気ディスク装置においては、光磁気ディスクがリムーバブル（可換型）媒体であるために、上記したハードディスク装置の場合よりも浮上スライダの浮上量を大きくすることが要請され、主面に負圧発生用の凹部を形成する必要性はないものとされていた。
【０００５】
【特許文献１】
特開２００１−６７７４７号公報
【特許文献２】
特開平６−１５０６０１号公報
【０００６】
【発明が解決しようとする課題】
光磁気ディスクへのデータの記録・再生を行なうときには、光磁気ディスク上にレーザスポットが形成され、この部分が高温となる。とくに、データ記録時には、光磁気ディスクの記録層はキュリー温度にまで高められる。その一方、浮上スライダは、いわゆるアクチュエータ方式の光学ヘッドと比較すると、光磁気ディスクとの間隔がかなり小さくされている。このため、従来においては、光磁気ディスクの表面のレーザスポットが形成された部分から発生するガスが、対物レンズの光出射を行なわせる透光部に触れ、この透光部が汚れてしまう場合があった。上記ガスは、主に光磁気ディスクの表面に付着している有機成分や水分などが高温により蒸発して発生するものと考えられる。
【０００７】
従来においては、上記ガスが光磁気ディスクの１つのトラック上において発生すると、このガスはそのトラック上に比較的長い時間滞留し易くなっている。このため、浮上スライダがその後も上記トラック上を通過するごとに、上記透光部の汚れは増すこととなっていた。このように浮上スライダの透光部が汚れたのでは、透光部におけるレーザ光の透過量が少なくなり、Ｃ／Ｎ（再生出力ノイズ比）の値が低くなる不具合を生じる。
【０００８】
本願発明は、このような事情のもとで考え出されたものであって、レーザ光を透過させる透光部の汚れを簡易な手段によって抑制することが可能な浮上スライダおよびこれを備えた光情報処理装置を提供することをその課題としている。
【０００９】
【発明の開示】
上記の課題を解決するため、本願発明では、次の技術的手段を講じている。
【００１０】
本願発明の第１の側面によって提供される浮上スライダは、光ディスクに隙間を介して対向する主面と、対物レンズを通過したレーザ光を上記光ディスクに向けて進行させるように上記主面に設けられた透光部とを有しており、かつ上記光ディスクの回転時に上記隙間内にトラック方向の空気流が発生するように構成されている浮上スライダであって、上記主面には、上記隙間内において上記透光部の上流側から下流側に流れる空気をトラッキング方向にも流れるように導く凹状または凸状のエアガイド手段が設けられていることを特徴としている。ここで、トラック方向とは、トラックが延びる方向である。トラッキング方向とは、トラック方向と直交する方向であり、光ディスクの半径方向である。
【００１１】
このような構成によれば、光ディスクの回転時には、この光ディスクと浮上スライダの主面との隙間において、透光部の上流から下流に進む空気はエアガイド手段の作用により光ディスクのトラッキング方向にも流れることとなる。したがって、光ディスクの表面から汚れの原因となるガスが発生しても、このガスは上記空気流の作用によってトラッキング方向に流されることとなって、浮上スライダの透光部に到達しないようにすることができる。また、上記空気流の作用によって、上記ガスが光ディスクの同一トラック上に滞留しないようにすることもできるため、浮上スライダが同一トラック上を周回するときに上記ガスの滞留箇所を繰り返して通過するようなこともなくなる。このようなことから、本願発明によれば、透光部の汚れが抑制され、透光部におけるレーザ光の透過量が短期間で減少してＣ／Ｎ値の低下を招くといった不具合が解消される。
【００１２】
本願発明の好ましい実施の形態においては、上記エアガイド手段は、上記トラッキング方向において上記透光部を挟むように設けられた一対の凹部である。このような構成によれば、光ディスクが回転するときに、上記各凹部の形成領域の圧力が低下する作用により、上記透光部の上流から下流に向かう空気流を分岐させるとともに、その分岐した空気流の向きをトラッキング方向において上記透光部から離れていく向きにすることが可能となり、本願発明が意図する目的が適切に達成される。もちろん、上記一対の凹部を対称に設けることにより、浮上スライダの浮上姿勢を安定させることができる。
【００１３】
本願発明の好ましい実施の形態においては、上記各凹部は、その前端が上記透光部の前部よりも前方に位置し、かつ後端が上記透光部の後部よりも後方に位置するようにトラック方向に延びている。このような構成によれば、上記透光部よりも上流位置と下流位置とのいずれの部分においても圧力が低下し、これに起因する空気流が発生するため、上記透光部に対してその上流側からガスが流れてきたり、あるいは光ディスクのうちの上記透光部に対向する位置から上記透光部に直接ガスが向かってくる虞れを上記空気流の作用により少なくすることが可能となる。したがって、透光部の汚れをより抑制することができる。
【００１４】
本願発明の好ましい実施の形態においては、上記各凹部の後端は、上記主面の後部まで延びている。このような構成によれば、上記各凹部による圧力低下効果がさらに高められ、トラッキング方向に向かう空気流量を多くし、汚れ抑制を図るのにより好適となる。
【００１５】
本願発明の好ましい実施の形態においては、上記透光部よりも上記主面の後部寄りの位置には、追加の凹部が形成されている。このような構成によれば、上記追加の凹部内の圧力をも低下させて、透光部の近傍の空気を強制的に浮上スライダの後方に移動させる空気流を発生させることが可能であり、このことによって透光部と対向する部分において汚れの原因となるガスが発生しても、このガスが上記透光部に到達する前に上記空気流によって浮上スライダの後方に流されることとなって、透光部の汚れ抑制がより的確に行なわれる。
【００１６】
本願発明の第２の側面によって提供される浮上スライダは、光ディスクに隙間を介して対向する主面と、対物レンズを通過したレーザ光を上記光ディスクに向けて進行させるように上記主面に設けられた透光部とを有しており、かつ上記光ディスクの回転時に上記隙間内にトラック方向の空気流が発生するように構成されている浮上スライダであって、上記主面のうち、上記空気流の方向における上記透光部の上流および下流の少なくとも一方には、凸部が設けられていることを特徴としている。
【００１７】
このような構成によれば、上記凸部にガスが触れてこの凸部に汚れが捕集される作用により、上記透光部の汚れが抑制されることとなる。すなわち、光ディスクの所定のトラックの表面からガスが発生している場合に、そのトラック上に浮上スライダが位置すると、上記浮上スライダのうち、上記光ディスクに最も接近した部分が上記ガスと最初に接触するため、汚れ易くなる。これに対し、本願発明によれば、上記凸部は、透光部よりも光ディスクに接近しているために、この凸部にガスが接触して汚れが捕捉される。上記凸部は、透光部と同一のトラック上に位置する関係にあるために、上記凸部によって汚れが捕捉される分だけ、透光部は汚れ難くなる。したがって、上記構成によっても、長期間にわたってＣ／Ｎ値を高くするといった効果が得られる。
【００１８】
本願発明の好ましい実施の形態においては、上記主面には、上記隙間内において上記透光部の上流側から下流側に流れる空気をトラッキング方向にも流れるように導く凹状のエアガイド手段がさらに設けられている。このような構成によれば、本願発明の第１の側面によって提供される浮上スライダについて述べた作用効果も併せて得られることとなるために、透光部の汚れ抑制効果をより高めることができる。
【００１９】
本願発明の第３の側面によって提供される光情報処理装置は、本願発明の第１の側面または第２の側面によって提供される浮上スライダを備えていることを特徴としている。このような構成によれば、本願発明の第１の側面または第２の側面について述べたのと同様な効果が得られる。
【００２０】
本願発明のその他の特徴および利点については、以下に行う発明の実施の形態の説明から、より明らかになるであろう。
【００２１】
【発明の実施の形態】
以下、本願発明の好ましい実施の形態について、図面を参照しつつ具体的に説明する。
【００２２】
図１および図２は、本願発明の一実施形態を示している。本実施形態の光情報処理装置Ａは、光ディスクＤからのデータの読み出しが可能な光ディスク装置として構成されている。図１によく表われているように、この光情報処理装置Ａは、キャリッジ２０に板状のサスペンション部材２１を介して支持された浮上スライダ１を具備している。
【００２３】
光ディスクＤは、スピンドル２９に支持され、かつこのスピンドル２９の駆動によりその中心軸周りに回転自在である。光ディスクＤは、その下向きの表層部近傍に記録層を有しており、浮上スライダ１はこの記録層に対向するように光ディスクＤの下方に配されている。キャリッジ２０は、光ディスクＤの下方においてトラッキング方向Ｔｇに移動自在である。このキャリッジ２０には、図示されていないレーザ光源から進行してくるレーザ光を、浮上スライダ１の後述する対物レンズ３１に導くように反射する立ち上げミラー２２が搭載されている。
【００２４】
浮上スライダ１は、全体が略直方体をなすブロック状であり、たとえば透光性を有するガラス製である。この浮上スライダ１には、立ち上げミラー２２によって上向きに反射されてきたレーザを集束させるための対物レンズ３１が搭載されている。この対物レンズ３１を透過したレーザ光は、浮上スライダ１内をその厚み方向に透過してから光ディスクＤに到達し、その記録層上にレーザスポットが形成されるようになっている。浮上スライダ１の光ディスクＤに対向する主面１０には、透光部１１と、エアガイド手段の一例としての一対の凹部１２とが設けられている。透光部１１は、対物レンズ３１により集束されたレーザ光が通過する部分である。この透光部１１は、実際には微小なエリアであるが、図２以降の図においては判り易くするために比較的な大きなサイズのエリアとして示している。
【００２５】
サスペンション部材２１は、フォーカス方向Ｆｓに弾性変形自在である。浮上スライダ１は、光ディスクＤが高速回転するときには、浮上スライダ１と光ディスクＤとの隙間５０内に空気が入り込み、図２に示す空気流ＡＣが発生することにより光ディスクＤの下方に微小間隔（たとえば、３μｍ程度）を隔てて浮上するようになっている。本明細書でいう「浮上」とは、浮上スライダがディスクの下方に位置する場合をも含む概念である。主面１０の前部寄りの一部分は、隙間５０内への空気流入を円滑にするためのテーパ面１０ａとされている。本明細書において、主面の前部とは、主面のトラック方向における両端部のうち、空気流の上流側の一端部を意味している。主面の後部とは、上記前部とは反対側の端部である。浮上スライダ１は、光ディスクＤの回転振れなどに対して追従性を有するため、この光情報処理装置Ａにおいては、フォーカス制御手段をとくに設ける必要はない。ただし、レーザスポットをさらに小さく絞るためにフォーカス制御用のアクチュエータを設けることは有効な手段である。また、トラッキング制御については、たとえば立ち上げミラー２２を揺動させたり、あるいは立ち上げミラー２２の手前にガルバノミラーを設けるなどして、立ち上げミラー２２から第１の対物レンズ３１に向けて進行するレーザ光をトラッキング方向Ｔｇに振ることにより実行することができる。上記フォーカス制御用のアクチュエータにトラッキング制御機能をもたせて、このアクチュエータにより数トラック分の精密なトラッキング制御を行なわせることも可能である。
【００２６】
一対の凹部１２は、透光部１１に接近し、かつトラッキング方向Ｔｇにおいて透光部１１をその両側から挟むように設けられている。光ディスクＤが回転したときには各凹部１２内の圧力がその周辺部分よりも低圧となる。各凹部１２は、平面視長矩形状であり、トラック方向Ｔｃに延びている。各凹部１２の前端１２ａは、透光部１１の前部よりも適当な寸法だけ主面１０の前部寄りに位置している。また、各凹部１２の後端１２ｂは、透光部１１の後部よりも適当な寸法だけ主面１０の後部寄りに位置している。各凹部１２の深さは、たとえば１〜５μｍ程度である。
【００２７】
次に、上記構成の光情報処理装置Ａおよび浮上スライダ１の作用について説明する。
【００２８】
まず、光ディスクＤを回転させたときには、既述したとおり、光ディスクＤと浮上スライダ１との隙間５０内には空気流ＡＣが発生し、浮上スライダ１が浮上する。空気流ＡＣの向きは、基本的には、トラック方向Ｔｃであるが、一対の凹部１２内の圧力は低下するため、この圧力差により空気流ＡＣの一部の向きに変化が与えられる。
【００２９】
より具体的には、図２に示す空気流ＡＣのうち、透光部１１の上流の空気流の一部は、一対の凹部１２のそれぞれに向かうように分岐した空気流ＡＣ１となる。各凹部１２の前端１２ａは、透光部１１よりも主面１０の前部寄りに位置するために、上記した空気流ＡＣ１は透光部１１よりも上流において発生する。また、この空気流ＡＣ１は、透光部１１を避けるようにトラッキング方向Ｔｇに広がるような流れである。したがって、光ディスクＤにレーザスポットが形成されることによって光ディスクＤの表面から汚れの原因となるガスが発生し、かつこのガスが仮に透光部１１の上流に存在していたとしても、このガスの多くが透光部１１に到達するといったことが空気流ＡＣ１の作用により回避される。
【００３０】
各凹部１２の後端１２ｂは、透光部１１よりも主面１０の後部寄りに位置するために、透光部１１の直上位置の空気が一対の凹部１２に向けて流れる空気流ＡＣ２も発生する。したがって、透光部１１の直上位置のレーザスポットが形成される箇所においてガスが発生しても、このガスは透光部１１に到達する前に上記の空気流ＡＣ２の作用により一対の凹部１２に向けて導かれることとなる。このような結果、透光部１１の汚れ抑制が図られる。上記した空気流は、上記したガスとは別の微細な塵芥などをも透光部１１に到達させないようにする役割も果たす。
【００３１】
上記した空気流ＡＣ１，ＡＣ２は、光ディスクＤの同一トラック上にガスがいつまでも滞留しないようにする作用も発揮する。したがって、ガスが滞留しているトラック上を浮上スライダ１が繰り返して通過するといったことも無くすことが可能となり、透光部１１の汚れ抑制がより徹底して図られることとなる。各凹部１２は、上記ガス中の汚れの原因となる成分やそれ以外の塵芥などを捕集する役割も果たす。
【００３２】
上記したように、本実施形態においては、透光部１１の汚れを抑制することができるために、透光部１１が短期間で汚れてレーザ光の透過量に不足を生じるといった不具合が発生しないようにすることができる。また、一対の凹部１２は対称に設けられているために、隙間５０に発生する空気流ＡＣ１，ＡＣ２も対称状となる。したがって、隙間５０内のトラッキング方向Ｔｇにおける圧力バランスを不当に崩さないようにして、浮上スライダ１の浮上姿勢を安定させることも可能である。
【００３３】
本願発明においては、浮上スライダ１に一対の凹部１２を設ける場合に、図３〜図５に示すような構成にすることもできる。図３以降の図において、上記実施形態と同一または類似の要素には、上記実施形態と同一の符号を付している。
【００３４】
図３に示す構成においては、各凹部１２が長円状や楕円状などであり、平面視において鋭角な角部を有しない形状に形成されている。既述したとおり、各凹部１２内には汚れが捕集されるために、各凹部１２が鋭角な角部を有していた場合には、この角部に汚れが堆積し易くなり、かつこの汚れを排除することも難しいものとなる。ところが、図３に示した構成によれば、そのような虞れを無くすことができる。
【００３５】
図４に示す構成においては、一対の凹部１２の各後端が主面１０の後端まで延びて開口しており、大気に開放されている。このような構成によれば、各凹部１２内をより低圧にすることができる。すなわち、光ディスクＤと浮上スライダ１との隙間５０内の圧力は大気圧よりも高いため、各凹部１２がこの隙間５０内にのみ面している場合よりも、各凹部１２の一部が大気圧に開放されている方が、各凹部１２内がより低圧となるのである。このように各凹部１２内をより低圧にすれば、各凹部１２内の汚れ捕集効果が高まるだけではなく、トラッキング方向Ｔｇに向かう空気流ＡＣ１，ＡＣ２の流量を多くすることが可能となり、透光部１１の汚れ抑制効果が高まる。ただし、各凹部１２内を低圧にするほど、浮上スライダ１の浮上量が減少する。したがって、浮上スライダ１の実際の設計に際しては、浮上スライダ１の浮上量が不適切にならない範囲で各凹部１２内の圧力を低くすることが望まれる。
【００３６】
図５に示す構成においては、浮上スライダ１の主面１０に、一対の凹部１２に加えて、追加の凹部１２Ａを形成している。この凹部１２Ａは、透光部１１よりも空気流方向の下流側に位置している。好ましくは、この凹部１２Ａは、圧力低下の効果を高めるために、その後端は主面１０の後端まで達して開口し、大気に開放している。このような構成によれば、透光部１１の表層部分から凹部１２Ａに向かう空気流ＡＣ３が発生する。したがって、光ディスクＤのうち、透光部１１の直上位置において汚れの原因となるガスが発生し、このガスが透光部１１に向けて下降してきても、このガスを上記の空気流ＡＣ３によって透光部１１の後方に排除し、透光部１１には到達しないようにすることができる。凹部１２Ａをトラッキング方向Ｔｇに延びる形態として、その両端を一対の凹部１２に繋げるように形成した場合にも、上記したのと同様な作用が得られ、本願発明はそのような構成にしてもかまわない。
【００３７】
図６は、本願発明に係る浮上スライダの他の実施形態を示している。本実施形態の浮上スライダ１Ａは、主面１０に一対の凸部１３ａ，１３ｂが設けられた構成を有している。これらの凸部１３ａ，１３ｂは、トラッキング方向Ｔｇに延びたリブ状であり、透光部１１よりも主面１０の前部寄りの位置と後部寄りの位置とにそれぞれ配置されている。これら凸部１３ａ，１３ｂは、いずれもトラッキング方向Ｔｇにおいて透光部１１とオーバラップした配置となっており、トラッキング方向Ｔｇの長さは、同方向における透光部１１の長さよりも長くされている。凸部１３ａは、凸部１３ｂよりも高さが低くされているが、これら凸部１３ａ，１３ｂの高さは、いずれも浮上スライダ１Ａの浮上量よりも小さい寸法である。たとえば、浮上量が３μｍであるのに対し、これら凸部１３ａ，１３ｂの高さは０．１〜２．０μｍ程度とされている。
【００３８】
凸部１３ｂは、平面視において鋭角な角部を有しないように、その長手方向両端が丸みを帯びた形状に形成されている。これは凸部１３ｂが光ディスクＤに接触するときのダメージを小さくするのに好ましい。このような構成に代えて、凸部１３ｂの先端面（上面）に丸みを付した場合にも、光ディスクＤとの接触時のダメージを小さくする上で有効である。凸部１３ａについても、凸部１３ｂと同様な形態とされている。
【００３９】
上記構成によれば、浮上スライダ１Ａを光ディスクＤに対向させて浮上させた場合、浮上スライダ１Ａの各部のうち、凸部１３ａ，１３ｂが光ディスクＤに対して最も接近した部位となる。したがって、光ディスクＤの表面上に汚れの原因となるガスが存在している場合において、そのガスが存在するトラック上に浮上スライダ１Ａを移動させると、凸部１３ａ，１３ｂが透光部１１よりも先に上記ガスに触れることとなる。このため、凸部１３ａ，１３ｂが汚れを捕集する作用を発揮することとなり、その分だけ透光部１１は汚れ難くなる。
【００４０】
また、凸部１３ａは、光ディスクＤの回転時に発生する空気流ＡＣの一部を、２つの空気流ＡＣ４に分岐させることとなる。この２つに分岐した空気流ＡＣ４は、図１〜図５に示した実施形態の空気流ＡＣ１と同様に、透光部１１の上流に存在するガスをトラッキング方向Ｔｇに移動させることによって透光部１１に到達させないようにする作用を発揮する。したがって、、上記した空気流ＡＣ４を発生させる作用によっても透光部１１の汚れ防止がより徹底して図られることとなる。また、凸部１３ｂは、透光部１１の直上から２つに分岐した空気流ＡＣ５を発生させる。したがって、図１〜図５に示した実施形態の空気流ＡＣ２と同様な作用も得られる。凸部１３ａ，１３ｂは、空気流ＡＣ４，ＡＣ５を発生させる役割をも果たすため、これらは本願発明でいうエアガイド手段の一例に相当する。
【００４１】
本願発明においては、主面１０に凸部を設ける場合に、図７および図８に示すような構成にすることもできる。
【００４２】
図７に示す構成においては、図６に示した浮上スライダ１Ａの凸部１３ａが設けられておらず、凸部１３ｂのみが設けられている。このような構成によっても、凸部１３ｂによる汚れ捕集効果、および２つに分岐した空気流ＡＣ５によるガスの排除作用により、透光部１１の汚れが抑制される。もちろん、この実施形態とは反対に、凸部１３ｂを設けることなく、図６に示した凸部１３ａのみが主面１０に設けられた構成とすることもできる。
【００４３】
図８に示す構成においては、一対の凸部１３ａ，１３ｂに加えて、先に述べた実施形態の一対の凹部１２、および凹部１２Ａを設けた構成を有している。このような構成によれば、一対の凸部１３ａ，１３ｂによって得られる作用に加えて、一対の凹部１２および凹部１２Ａを設けた場合について先に述べたのと同様な作用がさらに得られることとなるために、それらの相乗的な作用によって、透光部１１の汚れ防止がより徹底されることとなる。
【００４４】
本願発明は、上述した実施形態の内容に限定されるものではない。本願発明に係る浮上スライダおよび光情報処理装置の各部の具体的な構成は、種々に設計変更自在である。
【００４５】
エアガイド手段は、凹状または凸状に形成されていればよく、たとえば上記実施形態のものとは異なる形状のものに形成することもできる。また、エアガイド手段は、少なくとも１以上設けられていればよく、その具体的な数も限定されないことは上述の実施形態からもあきらかであろう。
【００４６】
本願発明に係る光情報処理装置は、適用対象となる光ディスクの種類は問わない。したがって、データ再生専用の装置に代えて、たとえば再生と記録との双方の処理が可能な装置としても構成することができる。より具体的には、浮上スライダに磁界形成用のコイルを搭載することにより表面記録型磁界変調方式の光磁気ディスク装置として構成することもできる。
【００４７】
本願発明でいう透光部は、浮上スライダから光ディスクに向けて光を透過させる部分であり、たとえば浮上スライダに磁界形成用のコイルを搭載し、かつこのコイルを覆う透明な保護膜を設けている場合には、この保護膜の形成部分のうちの光透過がなされる部分が透光部とされた構成とすることもできる。対物レンズは、開口数を大きくする観点からすると、複数のレンズを組み合わせて構成することが好ましいが、やはりこれに限定されず、レンズの数を１つにすることもできる。浮上スライダは、透光性を有するガラス製のものに代えて、透光性を有しない他の材質としてもかまわない。この場合には、浮上スライダに光を通過させるための孔を形成することによりレーザ光を光ディスクに対して適切に導くことが可能である。
【００４８】
本願発明は、次の付記として記載した構成とすることができる。
【００４９】
〔付記１〕  光ディスクに隙間を介して対向する主面と、対物レンズを通過したレーザ光を上記光ディスクに向けて進行させるように上記主面に設けられた透光部とを有しており、かつ上記光ディスクの回転時に上記隙間内にトラック方向の空気流が発生するように構成されている、浮上スライダであって、
上記主面には、上記隙間内において上記透光部の上流側から下流側に流れる空気をトラッキング方向にも流れるように導く凹状または凸状のエアガイド手段が設けられていることを特徴とする、浮上スライダ。
〔付記２〕  上記エアガイド手段は、上記トラッキング方向において上記透光部を挟むように設けられた一対の凹部である、付記１に記載の浮上スライダ。
〔付記３〕  上記各凹部は、その前端が上記透光部の前部よりも上記主面の前部寄りに位置し、かつその後端が上記透光部の後部よりも上記主面の後部寄りに位置するように、トラック方向に延びている、付記２に記載の浮上スライダ。
〔付記４〕  上記各凹部の後端は、上記主面の後部まで延びている、付記３に記載の浮上スライダ。
〔付記５〕  上記透光部よりも上記主面の後部寄りの位置には、追加の凹部が形成されている、付記２ないし４のいずれかに記載の浮上スライダ。
〔付記６〕  光ディスクに隙間を介して対向する主面と、対物レンズを通過したレーザ光を上記光ディスクに向けて進行させるように上記主面に設けられた透光部とを有しており、かつ上記光ディスクの回転時に上記隙間内にトラック方向の空気流が発生するように構成されている、浮上スライダであって、
上記主面のうち、上記空気流の方向における上記透光部の上流および下流の少なくとも一方には、凸部が設けられていることを特徴とする、浮上スライダ。
〔付記７〕  上記主面には、上記隙間内において上記透光部の上流側から下流側に流れる空気をトラッキング方向にも流れるように導く凹状のエアガイド手段がさらに設けられている、付記６に記載の浮上スライダ。
〔付記８〕  付記１ないし７のいずれかに記載の浮上スライダを備えていることを特徴とする、光情報処理装置。
【００５０】
【発明の効果】
以上のように、本願発明によれば、浮上スライダのレーザ光を透過させる透光部の汚れを簡易な手段によって抑制し、上記透光部におけるレーザ光の透過量が短期間で不足してＣ／Ｎ値が低くなるといった不具合を解消することが可能である。
【図面の簡単な説明】
【図１】本願発明に係る光情報処理装置の一例を示す要部断面図である。
【図２】浮上スライダの一例を示す斜視図である。
【図３】浮上スライダの他の例を示す斜視図である。
【図４】浮上スライダの他の例を示す斜視図である。
【図５】浮上スライダの他の例を示す斜視図である。
【図６】浮上スライダの他の例を示す斜視図である。
【図７】浮上スライダの他の例を示す斜視図である。
【図８】浮上スライダの他の例を示す斜視図である。
【符号の説明】
Ａ  光情報処理装置
Ｄ  光ディスク
１，１Ａ  浮上スライダ
１０  主面
１１  透光部
１２，１２Ａ  凹部（エアガイド手段）
１３ａ，１３ｂ  凸部
３１  対物レンズ
５０  隙間
【図１】
2004192716.tif 000003
【図２】
2004192716.tif 000004
【図３】
2004192716.tif 000005
【図４】
2004192716.tif 000006
【図５】
2004192716.tif 000007
【図６】
2004192716.tif 000008
【図７】
2004192716.tif 000009
【図８】
2004192716.tif 000010